(57)【要約】      （修正有）【課題】装置の簡略化及び頑強化を図り、故障の少く、土嚢を労力を要さず簡単に製造できると共に、製造後の土嚢を、取り出し容易な位置へ簡単でスムーズに移動でき、製造後の土嚢を、ホッパー下方の位置から進行方向前後の取り出し容易位置に移動することにより、連続した効率的な土嚢の製造装置を提供する。【解決手段】土嚢製造装置１は、架台２と、ホッパー３と、ホッパーの支持枠体４と、ホッパーの下方位置を移動する移動台車５と、移動台車５の移動用レールとよりなり、移動台車５上で土嚢を製造する。移動用レールが、製造した土嚢をホッパー３及び支持枠体４より離れた土嚢取り出し位置へ運ぶことが可能な長さに敷設され、移動台車５を移動用レール上で移動させて、土嚢を土嚢取り出し位置へ移動可能とする。【選択図】図１
2017160664.tif 000002
【特許請求の範囲】
【請求項１】
架台と、
該架台上方に設置され土嚢袋に土砂を落下流入させるホッパーと、
該ホッパーを上方に保持するための前記架台に立設された支持体と、
前記ホッパーの土砂流出口の下方位置を移動可能な土嚢の移動台車と、
前記架台に敷設された前記移動台車の移動用レールとよりなり、
前記ホッパーの土砂流出口に土嚢製造用の土嚢袋を装着し、
前記ホッパーから前記土嚢袋に土砂を落下流入させて、
前記移動台車上で土嚢を製造する土嚢製造装置であって、
前記移動用レールが、前記移動台車上に載置されている製造された土嚢を前記ホッパー及び前記支持体より離れた土嚢の取り出しが容易となる土嚢取り出し位置へ運ぶことが可能な長さとされており、
前記移動台車を該移動用レール上で移動させて、
該移動台車上の前記土嚢を前記土嚢取り出し位置へ移動可能とした
ことを特徴とする土嚢製造装置。
【請求項２】
上記移動台車が上記移動用レールの走行方向に土嚢袋を少なくとも２個配置することができる長さを有すると共に、前記移動用レールが上記ホッパー及び上記支持体より前後方向の土嚢の取り出しが容易となる土嚢取り出し位置まで敷設された
ことを特徴とする請求項１記載の土嚢製造装置。
【発明の詳細な説明】
【技術分野】
【０００１】
本発明は、土嚢製造装置の改良に関するもので、詳しくは、ホッパーと土嚢の移動台車と移動台車の移動用レールとを使用するという簡単で頑強な構造からなる土嚢製造装置に関するものである。
【背景技術】
【０００２】
従来、土嚢の製造は、二人の作業者が手作業によりスコップを用い土嚢袋に土砂を入れて作る方法が一般的であった。そこで、特許文献１及び２に示されるような作業者一人でも作業できるような考案や発明が考えられたが、いずれも手作業に頼らざる得ないものである。
【０００３】
しかし、土砂を土嚢袋に入れる作業は重労働である上、手作業では作業に時間がかかり、特に、大型の土嚢を製造しようとする場合には、その作業は大変なものであった。
【０００４】
そこで近年、特許文献３に示されるような土嚢製造装置の発明が考えられた。該発明は、支持部に漏斗型の土砂流入部を回転可能とし、土砂流入部を回転退避させ、製造した土嚢の上方を開放して、重機等での土嚢の移動排出を容易にできるものとする土嚢製造装置である。
【０００５】
該土嚢製造装置での実際の作業では、土砂が若干残り気味のこともあり、回転の障害となることが多かった。そのような場合であっても、土砂流入部をスムーズに回転できるようする必要があった。また、作業を繰り返した場合に、土砂流入部が一定方向に傾いてしまい、次の土嚢製造の障害となることがあった。そのような場合であっても、土砂流入部の回転をスムーズに行うことができるように、高精度で複雑な構造の車輪部を設ける必要があった。このように実際の作業では幾つもの対処手段が必要であった。
【０００６】
この土嚢製造装置では、装置が複雑化することにより、故障の多発を招くばかりでなく、土嚢製造完了後、退避のために回転している間は、土砂流入部は片腕支持となるので、不安定である上、作業の繰り返しにより、回転部が摩耗若しは破損してしまうといった問題も存在していた。
【先行技術文献】
【特許文献】
【０００７】
【特許文献１】実用新案登録第３１３８９２９号登録実用新案公報
【特許文献２】特開２００６−１２５０３５号公開特許公報
【特許文献３】特許第５３９０７２２号特許公報
【発明の概要】
【発明が解決しようとする課題】
【０００８】
そこで、本発明は、次の課題を解決しようとする。
第１に、土嚢製造装置を簡単な構成とすることにより、装置の簡略化を図ると共に頑強化を図ることにより、故障の少ない土嚢製造装置を提供することである。  
第２に、土嚢を、労力を要さず、且つ、簡単に製造できる装置とすると共に、製造後の土嚢を、取り出し容易な位置へ簡単でスムーズに移動させることのできる装置とすることである。
第３に、製造後の土嚢の位置を、土砂を落下流入させるホッパー下方の位置から進行方向前後の取り出し容易位置に移動させることにより、連続して土嚢を製造することを可能とし、効率的な土嚢の製造を行うことのできる土嚢製造装置を提供することである。
【課題を解決するための手段】
【０００９】
上記課題を解決するために、第１の発明は、土嚢製造装置に次の手段を採用する。
第１に、架台と、該架台上方に設置され土嚢袋に土砂を落下流入させるホッパーと、該ホッパーを上方に保持するための前記架台に立設された支持体と、前記ホッパーの土砂流出口の下方位置を移動可能な土嚢の移動台車と、前記架台に敷設された前記移動台車の移動用レールとよりなる土嚢製造装置である。
第２に、前記ホッパーの土砂流出口に土嚢製造用の土嚢袋を装着し、前記ホッパーから前記土嚢袋に土砂を落下流入させて、前記移動台車上で土嚢を製造する土嚢製造装置である。
第３に、前記移動用レールが、前記移動台車上に載置されている製造された土嚢を前記ホッパー及び前記支持体より離れた土嚢の取り出しが容易となる土嚢取り出し位置へ運ぶことが可能な長さとされる。
第４に、前記移動台車を該移動用レール上で移動させて、該移動台車上の前記土嚢を前記土嚢取り出し位置へ移動可能とした。
【００１０】
第２の発明は、第１の発明に、上記移動台車が上記移動用レールの走行方向に土嚢袋を少なくとも２個配置することができる長さを有すると共に、前記移動用レールが上記ホッパー及び上記支持体より前後方向の土嚢の取り出しが容易となる土嚢取り出し位置まで敷設されたことを付加した土嚢製造装置である。
【発明の効果】
【００１１】
第１の発明では、次の効果を発揮する。
第１に、架台と、土砂を落下流入させるホッパーと、ホッパーを上方に保持するための架台に立設された支持体と、ホッパーの土砂流出口の下方位置を移動可能な移動台車と、架台に敷設された移動台車の移動用レールとよりなる土嚢製造装置としたので、土嚢製造装置の簡略化を図ることができた上に、頑強化も加味した、故障の少ない土嚢製造装置となった。
【００１２】
第２に、ホッパーの支持体及び移動用レールが架台に立設及び敷設されているため、凹凸のある地面や軟弱な地面などに影響されずに設置できる装置となった。
【００１３】
第３に、ホッパーの土砂流出口に土嚢製造用の土嚢袋を装着し、ホッパーから土嚢袋に土砂を落下流入させて、移動台車上で土嚢を製造するので、労力を要さず、簡単に土嚢を製造することが可能となった。
【００１４】
第４に、移動台車を移動用レール上で移動させて、移動台車上の土嚢を土嚢取り出し位置へ移動可能としたので、効率的な土嚢の製造が可能となった。
【００１５】
第２の発明の効果ではあるが、移動台車が移動用レール走行方向に土嚢袋を少なくとも２個配置することができる長さを有すると共に、移動用レールがホッパー及び支持体より前後方向の土嚢の取り出しが容易となる土嚢取り出し位置まで敷設されているため、製造後の土嚢をホッパー及び支持体の前後で取り出すことが可能となり、製造後の土嚢を前方の土嚢取り出し位置で取り出し作業を行っている際に、後方で土嚢の製造作業が行えるため、並行作業ができ、極めて効率的な土嚢製造装置となった。
【図面の簡単な説明】
【００１６】
【図１】本発明に係る土嚢製造装置の正面説明図
【図２】同側面説明図
【図３】架台とホッパーとの位置関係を示す平面説明図
【図４】土嚢製造装置の動作説明図で、（Ａ）はホッパーから第１土嚢袋に土砂を充填している状態時の図であり、（Ｂ）は第１土嚢袋を土嚢取り出し位置へ移動させた状態時の図であり、（Ｃ）はホッパーから第２土嚢袋に土砂を充填し、第１土嚢袋を撤去し、撤去した位置に第３土嚢袋を配置する図であり、（Ｄ）は第２土嚢袋を土嚢取り出し位置へ移動させた状態時の図である。
【図５】本発明に係る土壌製造装置の他実施例を示す正面説明図
【図６】他実施例における架台とホッパーとの位置関係を示す平面説明図
【発明を実施するための形態】
【００１７】
以下、本発明を実施するための形態につき実施例と共に説明する。図１は本発明に係る土嚢製造装置の正面説明図であり、図２は同側面説明図であり、図３は架台とホッパーとの位置関係を示す平面説明図である。実施例に係る土嚢製造装置１は、図面に示されるように、架台２と架台上方に設置されるホッパー３と、該ホッパー３を上方に保持する支持枠体４（本発明における支持体となる。）と、土壌の移動車台５と、該移動台車５の移動レール６とで構成される。
【００１８】
図３に示されるように、架台２は、長方形状よりなる平板の床材２１と、床材２１の長尺方向左右（正面側と背面側）に連設された横杆２２よりなり、いずれも鋼材を用いている。横杆２２に土嚢の移動台車５を移動させる移動用レール６が敷設される。尚、図２に示されるように、架台２の上方にホッパー３を保持するための支持枠体４が横杆２２に立設されている。支持枠体４は、図１に示されるように方形枠として構成されている。図１及び図２に表れる符号２３は、架台２の横杆２２上に設置された移動台車５の車輪５３の保護カバーである。
【００１９】
ホッパー３は、移動台車５の通過の障害とならないよう架台２上方に設置され、土嚢袋Ｄ１、Ｄ２、Ｄ３に土砂７を落下流入させるものである。ホッパー３は、土砂７の土嚢袋Ｄ１、Ｄ２、Ｄ３に土砂７を落下流入させやすいように略方形の上部開口部８を大きく及び略方形の下部開口部９を小さく形成した漏斗型のものである。
【００２０】
尚、ホッパー３の下部開口部９の付近の４カ所に、土嚢袋Ｄ１、Ｄ２、Ｄ３の装着用のフックＦが設けられている。更に、ホッパー３の走行方向の左右壁面には、次に述べる支持枠体４に係止めさせるための係止部材３０が設けられている。実施例でのホッパー３及び係止部材３０は鋼材である。
【００２１】
支持枠体４は、図１及び図２に示されるように、架台２の２本の横杆２２の長尺方向中央付近で両側に渡る位置に立設されている。支持枠体４の上端部には、ホッパー３の係止部材３０に当接する水平な支持部材４０が形成されており、ホッパー３は該支持部材４０に係止部材３０が係止めされた上、着脱可能に固着されている。支持枠体４及び支持部材４０は鋼材よりなる。
【００２２】
移動台車５は、土嚢袋及び製造された土嚢が載置される床面となる台座５０と、台座５０の走行方向左右の側板となる土嚢及び土嚢袋の保持板５１、移動台車５の操作を行う取っ手５２と車輪５３とよりなる。
【００２３】
移動台車５の長さは、走行方向に土嚢袋を少なくとも２個配置することができる長さとされる。車輪５３は実施例では、移動台車５の走行方向の左右に６個ずつ合計１２個設けられているが、これに限定されるものではない。取っ手５２は移動台車５の走行方向の前後に設けられ、保持板５１は台座５０の走行方向の左右に立設されている。移動台車５は、次に述べる移動用レール６上をホッパー３の土砂流出口の下方位置で移動可能とされる。尚、移動台車５にはストッパー５４が設けられている。
【００２４】
移動用レール６は、架台２の２本の横杆２２に各１本ずつ敷設される。移動用レール６は、支持枠体４の内側に位置する箇所で、移動台車５の左右の車輪５３の幅に敷設される。更に、移動用レール６の長さは、移動台車５上に載置されている製造された土嚢をホッパー３及び支持枠体４より離れた土嚢の取り出しが容易となる前後方向２カ所に設けた土嚢取り出し位置へ運ぶことが可能な長さである。
【００２５】
以下、土嚢製造装置１の動作について、図４に従って説明する。
先ず、図４（Ａ）に示されるように、移動台車５を移動させて、第１土嚢袋Ｄ１を、ホッパー３の真下に移動させ、予め準備配置されていた土嚢袋Ｄ１をホッパー３のフックＦに係止し、土砂流出口である下部開口部９に被せて装着することで準備が完了する。その後、ホッパー３内に土嚢製造用の土砂７を投入し、ホッパー３から第１土嚢袋Ｄ１に土砂７を落下流入させて、移動台車５の台座５０上で土嚢袋Ｄ１を製造する。通常、人手により土嚢袋Ｄ１の口紐を締めて、土嚢を完成させる。この時、図中左方の移動台車５上には第２土嚢袋Ｄ２が予め配置されている。
【００２６】
次に、移動台車５の取っ手５２を押して、図４（Ｂ）に示されるように移動台車５を移動用レール６上で、図中右方へ移動させ、製造した第１土嚢袋Ｄ１を前方の土嚢取り出し位置へ移動させる。この時、予め準備されていた第２土嚢袋Ｄ２はホッパー３下方に位置する。
【００２７】
その後、図４（Ｃ）に示されるように、第２土嚢袋Ｄ２をホッパー３のフックＦに係止し、土砂流出口である下部開口部９に被せて装着し、ホッパー３から第２土嚢袋Ｄ２に土砂７を充填し、土嚢を製造する。この時、前方（図中右方）土嚢取り出し位置の第１土嚢袋Ｄ１が取り出され、該位置に第３土嚢袋Ｄ３を準備する。
【００２８】
続いて、図４（Ｄ）に示されるように、土砂を充填した第２土嚢袋Ｄ２を後方（図中左方）の土嚢取り出し位置へ移動させる。この時、第３土嚢袋Ｄ３がホッパー３下方に位置する。続けて、図示されないが、ホッパー３から第３土嚢袋Ｄ３に土砂７を充填し、土嚢を製造する。この時、後方土嚢取り出し位置の第２土嚢袋Ｄ２が取り出され、該位置に第４土嚢袋が準備される。以上の動作を繰り返すことにより効率的に土嚢を製造することが可能となる。
【００２９】
以上、図１乃至図４により移動用レール走行方向に土嚢袋を少なくとも２個配置することができる移動台車５による土嚢製造装置１について説明したが、本発明はこれに限定されことはない。図５に他実施例に係る土嚢製造装置の正面説明図、図６に架台２とホッパー３の位置関係を平面説明図に示したような土嚢製造装置１１のようにすることもできる。
【００３０】
該土嚢製造装置１１は、移動台車５５の長さが、移動用レール６６走行方向に土嚢袋を１個配置する長さとされる。車輪５３は実施例では、移動台車５５の走行方向の左右に３個ずつ合計６個設けられているが、これに限定されるものではない。
【００３１】
移動用レール６６の長さは、移動台車５５上に載置されている製造された土嚢をホッパー３及び支持枠体４より離れた土嚢の取り出しが容易となる１カ所に設けた土嚢取り出し位置へ運ぶことが可能な長さである。実施例での移動用レール６６は、支持枠体４より移動台車５５の長さだけ離れた位置まで敷設されている。
【００３２】
土嚢製造装置１１は、広い土嚢の製造場所がとれない場合において、簡単な方法での効率的な土嚢の製造及び取り出しを可能としたものである。
【符号の説明】
【００３３】
１、１１・・・・・・・土嚢製造装置
２・・・・・・・・・・架台
３・・・・・・・・・・ホッパー
４・・・・・・・・・・支持枠体
５、５５・・・・・・・移動台車
６、６６・・・・・・・移動用レール
７・・・・・・・・・・土砂
８・・・・・・・・・・上部開口部
９・・・・・・・・・・下部開口部
２１・・・・・・・・・床材
２２・・・・・・・・・横杆
２３・・・・・・・・・保護カバー
３０・・・・・・・・・係止部材
４０・・・・・・・・・支持部材
５０・・・・・・・・・台座
５１・・・・・・・・・保持板
５２・・・・・・・・・取っ手
５３・・・・・・・・・車輪
５４・・・・・・・・・ストッパー
Ｄ１・・・・・・・・・第１土嚢袋
Ｄ２・・・・・・・・・第２土嚢袋
Ｄ３・・・・・・・・・第３土嚢袋
Ｆ・・・・・・・・・・フック
【図１】
2017160664.tif 000003
【図２】
2017160664.tif 000004
【図３】
2017160664.tif 000005
【図４】
2017160664.tif 000006
【図５】
2017160664.tif 000007
【図６】
2017160664.tif 000008